【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】
アーク障害の後に帯電装置のクリーニングを起動させる画像形成マシンであって、
表面を有する光導電体と、
前記光導電体に隣接して配置されて動作し、帯電装置のクリーニング装置を有する少なくとも１つの帯電装置と、
前記光導電体に隣接して配置されて動作し、感光して前記表面上に静電潜像を形成する感光マシンと
を備え、
前記少なくとも１つの帯電装置は、
帯電場を前記表面に提供するように配置された少なくとも１つのコロナワイヤと、
前記コロナワイヤのうち少なくとも１つに接続された電圧源と、
前記電圧源に接続され、前記少なくとも１つのコロナワイヤのアークに応答してコロナ電圧信号を提供するコロナ電圧検出回路と、
前記コロナ電圧信号を受け取るように接続され、該コロナ電圧信号に応答して帯電装置のクリーニング装置を起動する制御デバイスと
を有する画像形成マシン。
【請求項２】
アーク障害の後に帯電装置のクリーニングを起動させる画像形成マシンであって、該マシンは、
表面を有する光導電体と、
前記光導電体に隣接して配置されて動作し、帯電装置のクリーニング装置を有する少なくとも１つの帯電装置と、
前記光導電体に隣接して配置されて動作し、感光して前記表面上に静電潜像を形成する感光マシンと
を備え、
前記少なくとも１つの帯電装置は、
前記表面に帯電場を提供するように配置された少なくとも１つのコロナワイヤと、
前記コロナワイヤのうち少なくとも１つに接続された電圧源と、
前記電圧源に接続され、該少なくとも１つのコロナワイヤのアークに応答してコロナ電圧信号を提供するコロナ電圧検出回路と、
前記少なくとも１つのコロナワイヤに隣接して配置され動作するグリッドと、
前記グリッドに接続された電源と、
前記電源に接続され、前記グリッドのアークに応答してグリッド電圧信号を提供するグリッド電圧検出回路と、
前記コロナ電圧信号と前記グリッド電圧信号を受信するように接続され、該コロナ電圧信号と該グリッド電圧信号のうち少なくとも１つに応答して帯電装置のクリーニング装置を起動する制御デバイスと
を有する画像形成マシン。
【請求項３】
アーク障害の後に帯電装置のクリーニングを起動させ、静電的に画像形成マシン内の表面を帯電させるコロナ帯電装置であって、該コロナ帯電装置は、
表面に帯電場を提供するように配置された少なくとも１つのコロナワイヤと、
前記少なくとも１つのコロナワイヤをクリーニングするように配置された帯電装置のクリーニング装置と、
前記コロナワイヤのうち少なくとも１つに接続された電圧源と、
前記電圧源に接続され、前記少なくとも１つのコロナワイヤのアークに応答してコロナ電圧信号を提供するコロナ電圧検出回路と、
前記コロナ電圧信号を受信するように接続され、該コロナ電圧信号に応答して前記帯電装置のクリーニング装置を起動する制御デバイスと
を備えたコロナ帯電装置。
【請求項４】
画像形成マシン用のコロナ帯電装置において帯電装置のクリーニングを起動する方法で、該方法は、
（ａ）  アークに関してコロナ帯電装置を監視するステップと、
（ｂ）  アークが発生すると、画像形成マシンを待機モードにするステップと、
（ｃ）  前記コロナ帯電装置をクリーニングするステップと、
（ｄ）  前記マシンを通常の動作に戻すステップと
を含む前記方法。
【手続補正２】
【補正対象書類名】明細書
【補正対象項目名】００５６
【補正方法】変更
【補正の内容】
【００５６】
本発明を説明し図示したが、この説明は例示的なものにすぎない。当事者であれば追加の利点も容易に思いつくであろうし、また、本発明の真の精神および範囲から離れることなく、多くの変更を行うこともできる。したがって、本発明はこの説明の中の具体的な詳細、代表的なマシン、および図示された例に限定されるものではない。したがって、本発明の範囲は必要な場合のみ、首記の請求項によって限定されるものである。
［付記］
（付記１）
アーク障害の後に帯電装置のクリーニングを起動させる画像形成マシンであって、
表面を有する光導電体と、
前記光導電体に隣接して配置されて動作し、帯電装置のクリーニング装置を有する少なくとも１つの帯電装置と、
前記光導電体に隣接して配置されて動作し、感光して前記表面上に静電潜像を形成する感光マシンと
を備え、
前記少なくとも１つの帯電装置は、
帯電場を前記表面に提供するように配置された少なくとも１つのコロナワイヤと、
前記コロナワイヤのうち少なくとも１つに接続された電圧源と、
前記電圧源に接続され、前記少なくとも１つのコロナワイヤのアークに応答してコロナ電圧信号を提供するコロナ電圧検出回路と、
前記コロナ電圧信号を受け取るように接続され、該コロナ電圧信号に応答して帯電装置のクリーニング装置を起動する制御デバイスと
を有する画像形成マシン。
（付記２）
前記少なくとも１つの帯電装置はさらに、
前記少なくとも１つのコロナワイヤに隣接して配置され動作するグリッドと、
前記グリッドに接続された電源と、
前記電源に接続され、グリッドのアークに応答してグリッド電圧信号を提供するグリッド電圧検出回路と
を備え、
前記制御デバイスは前記グリッド電圧信号を受信するように接続され、該制御デバイスは該グリッド電圧信号に応答して前記帯電装置のクリーニング装置を起動する付記１に記載の画像形成マシン。
（付記３）
前記電源は約３００ボルトから９００ボルトの範囲の電圧を提供する付記２に記載の画像形成マシン。
（付記４）
前記電圧源は第１の電圧と第２の電圧のうち１つを提供し、該第１の電圧は約５ｋｖａから１１ｋｖａの範囲であり、該第２の電圧はピークピークが約１３０００ボルトから２２０００ボルトの範囲である付記１に記載の画像形成マシン。
（付記５）
前記帯電装置のクリーニング装置は前記少なくとも１つのコロナワイヤと前記グリッドの間を通過するパッドを有する付記２に記載の画像形成マシン。
（付記６）
アーク障害の後に帯電装置のクリーニングを起動させる画像形成マシンであって、該マシンは、
表面を有する光導電体と、
前記光導電体に隣接して配置されて動作し、帯電装置のクリーニング装置を有する少なくとも１つの帯電装置と、
前記光導電体に隣接して配置されて動作し、感光して前記表面上に静電潜像を形成する感光マシンと
を備え、
前記少なくとも１つの帯電装置は、
前記表面に帯電場を提供するように配置された少なくとも１つのコロナワイヤと、
前記コロナワイヤのうち少なくとも１つに接続された電圧源と、
前記電圧源に接続され、該少なくとも１つのコロナワイヤのアークに応答してコロナ電圧信号を提供するコロナ電圧検出回路と、
前記少なくとも１つのコロナワイヤに隣接して配置され動作するグリッドと、
前記グリッドに接続された電源と、
前記電源に接続され、前記グリッドのアークに応答してグリッド電圧信号を提供するグリッド電圧検出回路と、
前記コロナ電圧信号と前記グリッド電圧信号を受信するように接続され、該コロナ電圧信号と該グリッド電圧信号のうち少なくとも１つに応答して帯電装置のクリーニング装置を起動する制御デバイスと
を有する画像形成マシン。
（付記７）
前記電圧源は第１の電圧と第２の電圧のうち１つを提供し、該第１の電圧は約５ｋｖａから１１ｋｖａの範囲であり、該第２の電圧はピークピークが約１３０００ボルトから２２０００ボルトの範囲であり、
前記電源は約３００ボルトから９００ボルトの範囲の電圧を供給する付記６に記載の画像形成マシン。
（付記８）
前記帯電装置のクリーニング装置は前記少なくとも１つのコロナワイヤと前記グリッドの間を通過するパッドを有する付記６に記載の画像形成マシン。
（付記９）
アーク障害の後に帯電装置のクリーニングを起動させ、静電的に画像形成マシン内の表面を帯電させるコロナ帯電装置であって、該コロナ帯電装置は、
表面に帯電場を提供するように配置された少なくとも１つのコロナワイヤと、
前記少なくとも１つのコロナワイヤをクリーニングするように配置された帯電装置のクリーニング装置と、
前記コロナワイヤのうち少なくとも１つに接続された電圧源と、
前記電圧源に接続され、前記少なくとも１つのコロナワイヤのアークに応答してコロナ電圧信号を提供するコロナ電圧検出回路と、
前記コロナ電圧信号を受信するように接続され、該コロナ電圧信号に応答して前記帯電装置のクリーニング装置を起動する制御デバイスと
を備えたコロナ帯電装置。
（付記１０）
前記少なくとも１つのコロナワイヤに隣接して配置され動作するグリッドと、
前記グリッドに接続された電源と、
前記電源に接続され、前記グリッドのアークに応答してグリッド電圧信号を提供するグリッド電圧検出回路と
をさらに備え、
前記制御デバイスは前記グリッド電圧信号を受信するように接続され、該制御デバイスは該グリッド電圧信号に応答して帯電装置のクリーニング装置を起動する付記９に記載のコロナ帯電装置。
（付記１１）
前記電圧源は第１の電圧と第２の電圧のうち１つを提供し、該第１の電圧は約５ｋｖａから１１ｋｖａの範囲であり、該第２の電圧はピークピークが約１３０００ボルトから２２０００ボルトの範囲であり、
前記電源は約３００ボルトから９００ボルトの範囲の電圧を供給する付記９に記載のコロナ帯電装置。
（付記１２）
前記帯電装置のクリーニング装置は前記少なくとも１つのコロナワイヤと前記グリッドの間を通過するパッドを有する付記９に記載のコロナ帯電装置。
（付記１３）
前記少なくとも１つのコロナワイヤは３つのコロナワイヤを含む付記９に記載のコロナ帯電装置。
（付記１４）
画像形成マシン用のコロナ帯電装置において帯電装置のクリーニングを起動する方法で、該方法は、
（ａ）  アークに関してコロナ帯電装置を監視するステップと、
（ｂ）  アークが発生すると、画像形成マシンを待機モードにするステップと、
（ｃ）  前記コロナ帯電装置をクリーニングするステップと、
（ｄ）  前記マシンを通常の動作に戻すステップと
を含む前記方法。
（付記１５）
ステップ（ａ）はさらに、コロナワイヤとグリッドのうち少なくとも１つに接続された電圧検出回路から電圧信号を検出することを含む付記１４に記載の帯電装置のクリーニングを起動する方法。
（付記１６）
ステップ（ｃ）はさらに、コロナワイヤとグリッドのうち少なくとも１つの間にパッドを通過させることを含む付記１４に記載の帯電装置のクリーニングを起動させる方法。
（付記１７）
ステップ（ｃ）はさらに、
（ｃ１）  欠点のある画像フレームを識別するサブステップと、
（ｃ２）  前記欠点のある画像フレームによって生成された画像プリントを処理するサブステップと、
（ｃ３）  前記画像形成マシンを前記欠点のある画像フレームまでサイクルし、該画像形成マシンは該欠点のある画像フレームにおいてステップ（ｄ）の通常の動作に戻るサブステップとを含む付記１４に記載の帯電装置のクリーニングを起動する方法。
（付記１８）
前記サブステップ（ｃ２）はさらに、前記画像プリントを前記画像形成マシンのゴミ箱（ｄｉｓｐｏｓａｌ ｂｉｎ）に処分することを含む付記１７に記載の帯電装置のクリーニングを起動する方法。
（付記１９）
前記サブステップ（ｃ２）はさらに、オペレータに前記画像プリントを除去するように警告することを含む付記１７に記載の帯電装置のクリーニングを起動する方法。
（付記２０）
前記サブステップ（ｃ２）はさらに、前記画像プリントに続く少なくとも１つのプリントを処分することを含む付記１７に記載の帯電装置のクリーニングを起動する方法。